(57)【特許請求の範囲】
【請求項１】
便鉢部を有する便器本体を備え、
前記便鉢部は、汚物を受けるための受け面部と、前記受け面部の上縁部に接続されるリム部と、前記受け面部の下縁部から下方に窪んで形成される凹部と、を有し、
前記凹部は、平面視において、底辺が左右の側辺の後方に位置する三角形の前記左右の側辺に対応する左立壁及び右立壁と、前記底辺に対応する後立壁と、からなる三つの立壁によって区画され、
前記リム部には、平面視において、前記凹部の側方に設けられる第１吐水口と、前記凹部の前方に設けられる第２吐水口と、前記凹部の後方に設けられる第３吐水口と、からなる三つの吐水口が設けられ、
前記三つの吐水口は、前記リム部に沿って周方向の一方向に洗浄水を吐水し、
前記三つの吐水口から吐出される洗浄水は、それぞれ前記三つの立壁に向かって落下して当該立壁に沿って流れる第１主流を形成するように、前記受け面部と前記リム部と前記三つの吐水口とが前記便鉢部の形状を構成していることを特徴とする水洗大便器。
【請求項２】
前記三つの吐水口から吐出される洗浄水は、それぞれ前記リム部の内周面に沿って周方向に流れる第２主流を形成し、
前記第２主流は、前記三つの吐水口のうち一方向側の吐水口から吐出された洗浄水に重なり合うように、前記受け面部と前記リム部と前記三つの吐水口とが前記便鉢部の形状を構成していることを特徴とする請求項１に記載の水洗大便器。
【請求項３】
前記第１吐水口から吐出された洗浄水の前記第１主流は前記第３吐水口から吐出された洗浄水の前記第１主流と、前記第３吐水口から吐出された洗浄水の前記第１主流は前記第２吐水口から吐出された洗浄水の前記第１主流と、前記第２吐水口から吐出された洗浄水の前記第１主流は前記第１吐水口から吐出された洗浄水の前記第１主流と、それぞれ前記凹部の領域で合流するように、前記受け面部と前記リム部と前記三つの吐水口とが前記便鉢部の形状を構成していることを特徴とする請求項１または２に記載の水洗大便器。
【請求項４】
前記リム部の内周面には、当該内周面に沿って周方向に旋回する洗浄水の流れの一部を内向きに曲げる変向部が設けられることを特徴とする請求項１から３のいずれかに記載の水洗大便器。
【請求項５】
前記変向部は、前記リム部の内周面の一部が周方向の両側より内側に張出す凸面部を有することを特徴とする請求項４に記載の水洗大便器。
【発明の詳細な説明】
【技術分野】
【０００１】
本発明は、水洗大便器に関する。
【背景技術】
【０００２】
従来より、大便器の便鉢部内を洗浄するための洗浄方式に関して種々の検討がなされている。特許文献１には、ボウル状の汚物受け面の下方に形成された凹部と、リム部と、二つの吐水部と、を備え、二つの吐水部から吐水された洗浄水の主流が凹部に流入する水洗大便器が開示されている。一方で、このような水洗大便器には水資源の有効活用のためより少ない水量で洗浄できることが求められている。
【先行技術文献】
【特許文献】
【０００３】
【特許文献１】特開２０１５−６７９５４号公報
【発明の概要】
【発明が解決しようとする課題】
【０００４】
ところで、特許文献１の図１１には、二つのリム吐水部からの洗浄水の流入経路が示されている。この水洗大便器では、これらのリム吐水部からの主流は、便器平面視で凹部内の前側と右側とに偏って流れている。このため、便器正面視で凹部内の奥側や左側に付着した汚物の洗浄力が不足することが考えられる。また、主にトラップ入口方向への下方向の流れは主に主流で形成されているものの、便器正面視で凹部の左奥領域での下方向の流れが形成されにくく、浮遊性の汚物が滞留することも考えられる。
特に、少ない水量で洗浄する場合に、凹部内の水流や下方向の流れの偏りの影響は顕著になることが懸念される。
【０００５】
つまり、このような水洗大便器では、凹部内の水流や下方向の流れの偏りを抑制して洗浄力を高める工夫が必要となる。このような観点のもとで検討すると、特許文献１の水洗大便器は凹部内の水流や下方向の流れの偏りを改善するための特別な工夫がなされておらず、水洗大便器の凹部洗浄能力の面で改善の余地があった。
【０００６】
本発明は、このような課題に鑑みてなされ、その目的は、凹部内の水流や下方向の流れの偏りを抑制して良好な凹部洗浄能力を得られる水洗大便器を提供することにある。
【課題を解決するための手段】
【０００７】
上記課題を解決するために、本発明のある態様の水洗大便器は、便鉢部を有する便器本体を備える。便鉢部は、汚物を受けるための受け面部と、受け面部の上縁部に接続されるリム部と、受け面部の下縁部から下方に窪んで形成される凹部と、を有する。凹部は、平面視において、底辺が左右の側辺の後方に位置する三角形の左右の側辺に対応する左立壁及び右立壁と、底辺に対応する後立壁と、からなる三つの立壁によって区画され、リム部には、平面視において、凹部の側方に設けられる第１吐水口と、凹部の前方に設けられる第２吐水口と、凹部の後方に設けられる第３吐水口と、からなる三つの吐水口が設けられ、三つの吐水口は、リム部に沿って周方向の一方向に洗浄水を吐水し、三つの吐水口から吐出される洗浄水は、それぞれ三つの立壁に向かって落下して当該立壁に沿って流れる第１主流を形成するように、受け面部とリム部と三つの吐水口とが便鉢部の形状を構成する。
【０００８】
この態様によれば、三つの吐水口からリム部の内周面に沿って周方向の一方向側に吐出された三つの洗浄水が、それぞれリム部の内周面を洗浄すると共に凹部を洗浄することができる。
【発明の効果】
【０００９】
本発明によれば、良好な凹部洗浄能力を得られる水洗大便器を提供できる。
【図面の簡単な説明】
【００１０】
【図１】実施形態に係る水洗大便器の側面断面図である。
【図２】実施形態に係る水洗大便器の平面図である。
【図３】図１のＡ−Ａ線断面図である。
【図４】変向部の周辺の水流を説明する模式図である。
【図５】凹部の中心軸を説明するための図である。
【図６】凹部の内縁を拡大して示す平面図である。
【図７】便鉢部の中における洗浄水の流れ方を模式的に示す図である。
【図８】便鉢部の中における洗浄水の流れる範囲を模式的に示す図である。
【発明を実施するための形態】
【００１１】
以下、本発明を好適な実施の形態をもとに図１から８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
図１は本実施形態に係る水洗大便器１００の側面断面図であり、図２は水洗大便器１００の平面図である。図３は図１のＡ−Ａ線に沿った水平面で切断したときの水洗大便器１００の上面図である。
以下、図２に示す様に、水洗大便器１００の左右方向をＸ軸と、水洗大便器１００の前後方向をＹ軸、高さ方向をＺ軸と定める。Ｘ軸正方向を「右方向」、Ｘ軸負方向を「左方向」とする。また、左右の一方向を第１方向というとき、左右の他方向を第２方向という。実施の形態では、左方向を第１方向、右方向を第２方向としている。
【００１３】
（水洗大便器）
水洗大便器１００は、陶器を素材とする便器本体１０２を備える。便器本体１０２は、トイレ室の壁面１０に掛けた状態で取り付けられる壁掛け型便器である。便器本体１０２の上方には、図示しないが、局部洗浄装置等の温水洗浄用装置を収めたボックスや、ボックスに上下に回動可能に支持される便蓋及び便座が配置される。
【００１４】
（便器本体）
便器本体１０２は、便鉢部１１０、排水路管部１１２、周壁部１１４を有する。排水路管部１１２は、便鉢部１１０の下部に形成される。周壁部１１４は、便鉢部１１０や排水路管部１１２などの内部構造を遮蔽する。
【００１５】
排水路管部１１２は、便鉢部１１０との接続部分においてＵ字状の封水部１１６ｅを形成する。封水部１１６ｅには、常時、滞留水が溜められており、これにより排水路管部１１２の臭いを遮断する。封水部１１６ｅに落ちた汚物は、滞留水とともに洗浄水によって外部に押し出される。
【００１６】
（便鉢部）
便鉢部１１０は、平面視にて左右寸法より前後寸法が大きくなるような楕円状に形成される。便鉢部１１０は、汚物を受けるための鉢状の受け面部１３０と、受け面部１３０の上縁部に接続されるとともに便鉢部１１０の上縁部を形成するリム部１０８と、受け面部１３０の下縁部から下方に窪んで形成される凹部１１６とを備える。受け面部１３０は、中心側に向けて下り勾配で傾斜するように形成される。凹部１１６は有底状に形成され、その底部１１６ｋには封水部１１６ｅの入口が開口する。凹部１１６には滞留水の一部が溜められる。凹部１１６については後述する。
【００１７】
（中心軸）
図５は凹部１１６の中心軸Ｍ１と、凹部１１６の形状とを説明する図である。凹部１１６は、平面視において、左右の側辺が共有する頂点に対応する前端部１１６ｆを有する。凹部１１６の左右範囲Ｌｘを左右に二等分して前後方向に延伸する直線を中心軸Ｍ１と表記する。また、前端部１１６ｆを通り左右方向に延伸する直線を直線Ｎ１と表記する。中心軸Ｍ１と直線Ｎ１との交点を点Ｐと表記する。凹部１１６の左立壁２０には左端２０ａが位置し、右立壁２２には右端２２ａが位置する。図５では、前端部１１６ｆが中心軸Ｍ１に位置する。
【００１８】
便鉢部１１０は、平面視において、中心軸Ｍ１と直線Ｎ１とで区分けされる四つの分割領域Ｓｒ１〜Ｓｒ４を有する。以下、四つの分割領域のうち、直線Ｎ１に対して後側であって、中心軸Ｍ１に対して、左側の分割領域を第１分割領域Ｓｒ１、右側の分割領域を第４分割領域Ｓｒ４とする。直線Ｎ１に対して前側であって、中心軸Ｍ１に対して、左側の分割領域を第２分割領域Ｓｒ２、右側の分割領域を第３分割領域Ｓｒ３とする。
【００１９】
（リム導水路）
図３に示すように、リム部１０８には、主に左方に設けられる第１リム導水路１２４ａと、主に右方に設けられる第２リム導水路１２４ｂと、主に左後方に設けられる第３リム導水路１２４ｃの三つの導水路が形成される。第１リム導水路１２４ａと、第２リム導水路１２４ｂと、第３リム導水路１２４ｃの三つの導水路を総称するときは「導水路１２４」という。
【００２０】
（吐水口）
リム部１０８には、第１吐水口１２２ａと、第２吐水口１２２ｂと、第３吐水口１２２ｃの三つの吐水口が形成される。第１吐水口１２２ａと、第２吐水口１２２ｂと、第３吐水口１２２ｃの三つの吐水口を総称するときは「吐水口１２２」という。吐水口１２２については後述する。吐水口１２２は導水路１２４に形成され後述するリム通水路１２０に連続するようにリム通水路１２０に向けて開口している。
【００２１】
第１吐水口１２２ａは第１リム導水路１２４ａの下流端に設けられ、第２吐水口１２２ｂは第２リム導水路１２４ｂの下流端に設けられ、第３吐水口１２２ｃは第３リム導水路１２４ｃの下流端に設けられる。
【００２２】
図１に示すように、洗浄水供給装置の一部となる給水管１０４から供給される洗浄水は、流入路３８ａと導水路３８ｂとを通じてリム導水路１２４のそれぞれに供給される。リム導水路１２４に供給された洗浄水は、吐水口１２２から後述するリム通水路１２０に向けて吐水される。吐水された洗浄水はリム通水路１２０に沿って周方向に旋回する。以下、洗浄水の周方向に旋回する方向を単に「旋回方向」と表記する。
【００２３】
（リム通水路）
リム部１０８には、三つの吐水口１２２のそれぞれから便鉢部１１０の周方向に延びるように形成される第１リム通水路１２０ａ、第２リム通水路１２０ｂ及び第３リム通水路１２０ｃが形成される。三つのリム通水路１２０ａ、１２０ｂ及び１２０ｃを総称するときは「リム通水路１２０」という。
【００２４】
第１リム通水路１２０ａは、第１吐水口１２２ａから旋回方向下流側に第２吐水口１２２ｂの近傍まで周方向に延設される。第２リム通水路１２０ｂは、第２吐水口１２２ｂから旋回方向下流側に第３吐水口１２２ｃの近傍まで周方向に延設される。第３リム通水路１２０ｃは、第３吐水口１２２ｃから旋回方向下流側に第１吐水口１２２ａの近傍まで周方向に延設される。第１リム通水路１２０ａと第２リム通水路１２０ｂと第３リム通水路１２０ｃとは一部がつながっていてもよい。
【００２５】
リム通水路１２０は吐水口１２２から吐出される洗浄水を旋回させるように形成される。リム通水路１２０は、図１、３に示すように、受け面部１３０の上端縁１２６ｃから便鉢部１１０の外側に向かって延びる棚部１２６ｂと、棚部１２６ｂの外周端部から立ち上がる側壁部１２６ａと、側壁部１２６ａの上端部から便鉢部１１０の内側に向かって延びるオーバーハング部１１８と、洗浄水の流れの一部を内向きに曲げる変向部１３２と、を備える。変向部１３２については後述する。
【００２６】
リム通水路１２０におけるそれぞれの棚部１２６ｂの径方向の幅は、図３に示すように、下流側ほど小さく形成される。この構成により、吐水口１２２から吐出される洗浄水は、下流側に流れるにつれて、徐々に受け面部１３０に流れ落ちる。
【００２７】
（オーバーハング部）
オーバーハング部１１８の内縁１１８ａは、便鉢部１１０の上端に内側にせり出すように形成される。オーバーハング部１１８の上面は、便座の支持面となるように平坦化されている。オーバーハング部１１８の下面には、旋回水流の通り道となるリム通水路１２０が形成される。
【００２８】
（凹部の形状）
次に、凹部の平面視の形状について説明する。
少ない洗浄水で凹部の立壁を効率的に洗浄する観点では、洗浄すべき立壁の面積が小さい方が有利である。立壁の面積は、平面視の凹部の周縁の輪郭の長さと立壁の高さ寸法によって定まるから、凹部の周縁の輪郭の長さを小さくすることで立壁の面積を減らすことが可能である。つまり、凹部の周縁の輪郭の長さを小さく形成することが、凹部を効率的に洗浄する意味で有利である。
【００２９】
汚物の排出を円滑にするためには、凹部の左右寸法及び前後寸法は所定寸法以上に形成することが望ましい。凹部の平面視の形状は主に矩形、楕円形、これらを前後に組み合わせた形状及びそれらを変形した形状が考えられる。研究の結果、左右寸法及び前後寸法を一定として、凹部が平面視で三角形状である場合に、矩形や楕円形の場合より、凹部の周縁の輪郭の長さが短い。したがって、凹部の立壁を効率的に洗浄する観点で、凹部の周縁の輪郭は三角形状が有利である。
【００３０】
便鉢部の凹部の形状を略三角形とは、三角形を構成する各辺が平面視で曲率半径が１００ｍｍ以上の曲線または直線で構成されることを意味する。この結果、三つの角部の角度は平面視で９０度以下の鋭角に形成できる。
【００３１】
前述の観点に基づき、実施の形態の水洗大便器１００の凹部１１６の形状について説明する。図６は、凹部１１６の内縁を拡大して示す平面図である。凹部１１６は、平面視において、底辺３０ｕが左右の側辺３０ｈ、３０ｍの後方に位置する三角形３０の三辺に対応する三つの立壁によって区画される略三角形状を有する。左立壁２０及び右立壁２２は左右の側辺３０ｈ、３０ｍに対応し、後立壁２４は底辺３０ｕに対応する。左立壁２０と、右立壁２２と、後立壁２４と、の三つの立壁を総称するときは「立壁２６」という。
【００３２】
凹部１１６は、左右の側辺３０ｈ、３０ｍが共有する頂点３０ａに対応する前端部１１６ｆと、左後方の頂点３０ｃに対応する左角部１１６ｈと、右後方の頂点３０ｂに対応する右角部１１６ｍとを有する。特に、前端部１１６ｆと、左角部１１６ｈと、右角部１１６ｍとからなる三つの角部が、それぞれ三角形３０の三つの頂点を通るように形成される。前端部１１６ｆと、左角部１１６ｈと、右角部１１６ｍと、の三つの角部を総称するときは「角部２８」という。
【００３３】
前端部１１６ｆの曲率半径が過度に大きいと、凹部１１６での水域が低下せずに旋回することがあり、この場合下方向への流れが十分に形成できず排出性能が低下する可能性がある。また、前端部１１６ｆの曲率半径が過度に小さいと、型に注入した素材を型から外す離型作業が困難になることがある。
【００３４】
凹部の各立壁に落下した水流は、その立壁に沿って流れ凹部の角部に衝突することによって角部を効果的に洗浄する。したがって、凹部の立壁の曲率半径が過度に小さいと、凹部の角部に衝突する水勢が低下して、凹部の角部で洗い残しが生じる可能性がある。この観点に対応して、凹部１１６は左立壁２０、右立壁２２及び後立壁２４の曲率半径が１００ｍｍ以上の曲線または直線状に形成される。また、凹部の立壁が平面視で内側に突出する凸面である場合は、立壁に沿った流れは角部に衝突し難くなる。この観点に対応して、凹部１１６は平面視で外側に膨らむ凹面に形成される。
【００３５】
なお、凹部１１６は、左立壁２０、右立壁２２及び後立壁２４の曲率半径が前端部１１６ｆの曲率半径より大きく形成される。
【００３６】
（吐水口の配置）
次に、吐水口の配置を説明する。
三つの吐水口を有する場合に、少ない洗浄水で便鉢内を効果的に洗浄する観点では、三つの吐水口から吐水される洗浄水のそれぞれが便鉢内で広い範囲に拡散する方が、洗浄水が狭い範囲に集中する場合より有利である。それぞれの洗浄水が広く拡散するためには、三つの吐水口が、凹部を囲んで等間隔に配置される構成が望ましい。前述の観点によれば、点Ｐを中心とする周方向において、三つの吐水口の間隔が四半周以上で半周以下の範囲で形成される構成が効果的である。
【００３７】
実施の形態の水洗大便器１００では、三つの吐水口１２２は、四つの分割領域Ｓｒ１〜Ｓｒ４のうち、三つの分割領域のそれぞれに個別に形成される。例えば、第１吐水口１２２ａは第１分割領域Ｓｒ１に、第２吐水口１２２ｂは第３分割領域Ｓｒ３に、第３吐水口１２２ｃは第４分割領域Ｓｒ４に配置されてもよい。別の例によれば、第１吐水口１２２ａと第２吐水口１２２ｂの一方が第２分割領域Ｓｒ２に配置されてもよい。このように構成することによって、三つの吐水口１２２は、四半周以上で半周以下の範囲の間隔で配置できる。
【００３８】
特に、水洗大便器１００では、平面視において、三つの吐水口１２２は、第１吐水口１２２ａが凹部１１６の左方に形成され、第２吐水口１２２ｂが凹部１１６の前方に形成され、第３吐水口１２２ｃが凹部１１６の右方であって後方立壁の２４の後方に形成される。
【００３９】
なお、水洗大便器１００では、平面視において、凹部１１６の前端部１１６ｆが三つの吐水口１２２を結んだ三角形の中に位置する。また、第２吐水口１２２ｂは凹部１１６の左右範囲Ｌｘ内に位置し、第３吐水口１２２ｃは凹部１１６の左右範囲Ｌｘの外側に位置する。このように配置することによって、三つの吐水口１２２が凹部１１６を周方向に囲み、洗浄水が効率的に凹部１１６を洗浄しうる。
【００４０】
凹部の三つの立壁を効果的に洗浄する観点では、三つの吐水口のそれぞれが各立壁に対応して洗浄水を吐水することが望ましい。本実施形態の水洗大便器１００では、三つの吐水口は、洗浄水の流れる方向において、それぞれの吐水口から一番近い立壁の次の立壁に対応して吐水する。つまり、水洗大便器１００では、第１吐水口１２２ａが右立壁２２に対応して設けられ、第２吐水口１２２ｂが後立壁２４に対応して設けられ、第３吐水口１２２ｃが左立壁２０に対応して設けられる。
【００４１】
図７を参照して後述するように、第１吐水口１２２ａの第１主流１６２は右立壁２２に落下し、第２吐水口１２２ｂの第１主流１７２は後立壁２４に落下し、第３吐水口１２２ｃの第１主流１８２は左立壁２０に落下する。第１主流１６２、１７２、１８２はそれぞれ受け面部１３０を約半周して凹部１１６に落下するように構成される。
【００４２】
（水流）
次に図７を参照して、洗浄水の水流を説明する。図７は、便鉢部１１０の中における洗浄水の流れ方を模式的に示す図である。前述したように、給水管１０４から供給された洗浄水は、導水路３８ｂを通じて三つのリム導水路１２４に供給される。リム導水路１２４に供給された洗浄水１５８、１６８，１７８は、吐水口１２２からリム通水路１２０に吐水され、リム通水路１２０から内側に湾曲する第１主流１６２、１７２，１８２と、リム通水路１２０に沿って旋回する第２主流１６４、１７４，１８４と、を形成する。
なお、洗浄水の主流とは、洗浄水の多くの割合が同様に流れる主な流れを意味し，一つの吐水口の吐水流が複数の主流を形成することがある。
【００４３】
（変向部）
ここで、洗浄水の流れはリム部１０８の形状や便鉢部１１０の形状に影響されるから、狙いとする第１主流と第２主流を形成することは容易ではない。まず先に、図３，図４を参照して、第１主流と第２主流とをコントロールする変向部１３２について説明する。
【００４４】
リム通水路１２０には平面視で円弧状に湾曲する側壁部１２６ａが凹部１１６を囲むように形成される。このような側壁部１２６ａの湾曲の作用によって、洗浄水には側壁部１２６ａに沿って曲げられて周方向に旋回する水流が形成される。
【００４５】
水洗大便器１００では、リム通水路１２０の側壁部１２６ａには、側壁部１２６ａに沿って周方向に旋回する洗浄水の流れの一部を内向きに曲げる変向部１３２が設けられる。変向部１３２は、側壁部１２６ａの湾曲の作用とは別に、洗浄水の流れの一部を内向きに曲げる。変向部１３２を設けることによって、主流の方向転換の位置を決め、洗浄水の流れを変更して第１主流と第２主流とを緻密にコントロールすることができる。
【００４６】
図３に示すように、変向部１３２は、側壁部１２６ａの一部が周方向の両側より内側に張出す第１凸面部１３４ａ、第２凸面部１３４ｂ及び第３凸面部１３４ｃとを有する。なお、第１凸面部１３４ａ、第２凸面部１３４ｂ及び第３凸面部１３４ｃを総称するときは「凸面部１３４」という。凸面部１３４は吐水口１２２の下流側のリム通水路１２０に設けられる。
【００４７】
第１凸面部１３４ａは第１吐水口１２２ａと第２吐水口１２２ｂの間に第１吐水口１２２ａに寄って設けられる。第２凸面部１３４ｂは第２吐水口１２２ｂと第３吐水口１２２ｃの間に第２吐水口１２２ｂに寄って設けられる。第３凸面部１３４ｃは第３吐水口１２２ｃと第１吐水口１２２ａの間に第３吐水口１２２ｃに寄って設けられる。
【００４８】
図４は、第１凸面部１３４ａの周囲を拡大して示す模式図である。なお比較のため、凸面部を有しない場合の側壁部の輪郭２３４ａを破線で示す。第１凸面部１３４ａは、上流側から先導部１３４ａｓと、突部１３４ａｔと、下流部１３４ａｕとがこの順で形成される。突部１３４ａｔは、その両側の先導部１３４ａｓ及び下流部１３４ａｕより内側に張出す部分である。
【００４９】
第１吐水口１２２ａから吐き出された洗浄水は第１水流１６０を形成する。第１水流１６０の外側の部分の水流１６０ｓは先導部１３４ａｓに衝突し、先導部１３４ａｓに沿って内向きに流れる。第１水流１６０の内側の部分の水流１６０ｕは、先導部１３４ａｓに衝突せずに突部１３４ａｔを通過し、下流部１３４ａｕ及びその下流側につながる側壁部１２６ａに沿って周方向に旋回して流れる。図４では、理解を容易にするために、水流１６０ｓが水流１６０ｕと交差するように描いているが、水流１６０ｓと水流１６０ｕは相互に影響を受けながら、所望の第１主流１６２と第２主流１７４とを形成する。
【００５０】
このように、第１凸面部１３４ａは、第１水流１６０から旋回する水流１６０ｓと、旋回する水流１６０ｓから内側に湾曲する水流１６０ｕとを形成することができる。第１凸面部１３４ａの形状を調整して水流１６０ｓと水流１６０ｕに所望の水量、水勢及び方向を与えることによって、狙いに沿った第１主流１６２と第２主流１７４とを生成できる。
なお、第２凸面部１３４ｂ及び第３凸面部１３４ｃの形状とその作用は、第１凸面部１３４ａについて用いた図４及び説明と同様であり、重複する説明は省略する。
【００５１】
以上説明したように、変向部１３２を設けることによって、洗浄水の流れを緻密にコントロールできる。特に、主流の方向転換の位置を決めることができるから、リム部１０８の棚部１２６ｂの形状や便鉢部１１０の形状に影響され難く、狙いとする洗浄水の流れを形成することが容易になる。
【００５２】
図７に戻る。第１主流１６２は、受け面部１３０を広く洗浄しながら右立壁２２に向かって落下して、右立壁２２に沿って流れ、右角部１１６ｍに衝突する。衝突した第１主流１６２は、下向きの流れ１６２ａと上向きの流れを形成すると共に、凹部１１６内で向きを変えて後立壁２４に沿って流れる横向きの流れを形成する。後立壁２４に流れる第１主流１６２は、後述する第１主流１７２と合流して反時計回りに横旋回する渦１８８を形成する。なお、右立壁２２に向かって落下する水には、別の吐水口の吐水が一部含まれてもよい。
【００５３】
第１主流１６２は右立壁２２に沿って流れることによってその壁面を効果的に洗浄する。第１主流１６２は右角部１１６ｍに衝突することによってその角部を効果的に洗浄する。第１主流１６２は後立壁２４に沿って流れることによってその壁面を効果的に洗浄する。第１主流１６２は下向きの流れ１６２ａ形成することによって汚物の封水部１１６ｅから排水路管部１１２への排出を促進する。
【００５４】
第２リム導水路１２４ｂに供給された洗浄水１６８は、第２吐水口１２２ｂから第２リム通水路１２０ｂに吐水され、第２水流１７０を形成する。第２水流１７０は第２リム通水路１２０ｂから内側に湾曲する第１主流１７２と、第２リム通水路１２０ｂに沿って旋回する第２主流１７４と、を形成する。
【００５５】
第１主流１７２は、受け面部１３０を広く洗浄しながら後立壁２４に向かって落下して、後立壁２４に沿って流れ、左角部１１６ｈに衝突する。衝突した第１主流１７２は、下向きの流れ１７２ａと上向きの流れを形成すると共に、凹部１１６内で反時計回りに向きを変えて左立壁２０に沿って流れる横向きの流れを形成する。左立壁２０に流れる第１主流１７２は、後述する第１主流１８２と合流して反時計回りに横旋回する渦１８８を形成する。なお、後立壁２４に向かって落下する水には、別の吐水口の吐水が一部含まれてもよい。
【００５６】
第１主流１７２は後立壁２４に沿って流れることによってその壁面を効果的に洗浄する。第１主流１７２は左角部１１６ｈに衝突することによってその角部を効果的に洗浄する。第１主流１７２は左立壁２０に沿って流れることによってその壁面を効果的に洗浄する。第１主流１７２は下向きの流れ１７２ａ形成することによって、渦１８８に縦旋回を形成し、汚物の封水部１１６ｅから排水路管部１１２への排出を促進する。
【００５７】
第３リム導水路１２４ｃに供給された洗浄水１７８は、第３吐水口１２２ｃから第３リム通水路１２０ｃに吐水され、第３水流１８０を形成する。第３水流１８０は第３リム通水路１２０ｃから内側に湾曲する第１主流１８２と、第３リム通水路１２０ｃに沿って旋回する第２主流１８４と、を形成する。
【００５８】
第１主流１８２は、受け面部１３０を広く洗浄しながら左立壁２０に向かって落下して、左立壁２０に沿って流れ、前端部１１６ｆに衝突する。衝突した第１主流１８２は、下向きの流れ１８２ａと上向きの流れを形成すると共に、凹部１１６内で反時計回りに向きを変えて右立壁２２に沿って流れる横向きの流れを形成する。右立壁２２に流れる第１主流１８２は、第１主流１６２と合流して反時計回りに横旋回する渦１８８を形成する。なお、左立壁２０に向かって落下する水には、別の吐水口の吐水が一部含まれてもよい。
【００５９】
第１主流１８２は左立壁２０に沿って流れることによってその壁面を効果的に洗浄する。第１主流１８２は前端部１１６ｆに衝突することによってその角部を効果的に洗浄する。第１主流１８２は右立壁２２に沿って流れることによってその壁面を効果的に洗浄する。第１主流１８２は下向きの流れ１８２ａ形成することによって、渦１８８に縦旋回を形成し、汚物の封水部１１６ｅから排水路管部１１２への排出を促進する。
【００６０】
第１主流１６２と第１主流１７２と第１主流１８２とで渦１８８を形成することによって強力に汚物を封水部１１６ｅの中央に集めて排水路管部１１２から排出する（図１も参照）。また、第１主流１６２と第１主流１７２と第１主流１８２とは、左立壁２０と右立壁２２と後立壁２４とを下向きにも流れることによって、渦１８８に縦旋回を形成して汚物の封水部１１６ｅから排水路管部１１２への排出を促進する。
【００６１】
図８も参照する。図８は、便鉢部１１０の中における洗浄水の流れる主な範囲を模式的に示す図である。第２主流１６４は、第１リム通水路１２０ａに沿って旋回して、第２吐水口１２２ｂから吐き出される第２水流１７０と重なり合う。第２主流１７４は第２リム通水路１２０ｂに沿って旋回して第３吐水口１２２ｃから吐き出される第３水流１８０と重なり合う。第２主流１８４は第３リム通水路１２０ｃに沿って旋回して第１吐水口１２２ａから吐き出される第１水流１６０と重なり合う。
【００６２】
図３に示すように、リム通水路１２０の棚部１２６ｂの径方向の幅は旋回方向に向かって徐々に狭くなるように形成されるから、第２主流１６４、１７４，１８４（図７も参照）は旋回しながら徐々に受け面部１３０に落下し、凹部１１６に向かってシート状の落下水流１９０、１９２、１９４を形成する。落下水流１９０、１９２、１９４は受け面部１３０の表面に膜状に流れながら受け面部１３０を広く洗浄する。
【００６３】
なお、図８では、落下水流１９０、１９２、１９４と第１主流１６２、１７２、１８２とを分離し示しているが、落下水流１９０、１９２、１９４には第１主流１６２、１７２、１８２から分流した洗浄水も一部含まれている。
【００６４】
図８に示すように、落下水流１９０は落下水流１９２と重なり合う領域１９６を形成し、落下水流１９２は落下水流１９４と重なり合う領域１９８を形成し、落下水流１９４は落下水流１９０と重なり合う領域２００を形成する。例えば、重なり合う領域２００には筋状に隆起して受け面部１３０を流れ落ちる水流が形成される。
【００６５】
次に、水洗大便器１００の動作を説明する。
水洗大便器１００は、所定のスイッチ、レバー等の操作部材の操作により、給水管１０４から所定量の洗浄水が流入路３８ａと導水路３８ｂとを通じて導水路１２４に供給される。供給された洗浄水は、吐水口１２２から通水路１２０に向けて吐水され、便鉢部１１０内の汚物を洗浄水の落差を用いて凹部１１６の下部の封水部１１６ｅに押し流すと共に、便鉢部１１０内を広く洗浄する。
【００６６】
次に、本実施の形態の水洗大便器１００の特徴を説明する。
吐水口１２２から吐出されたそれぞれの洗浄水の第１主流１６２，１７２、１７４は、凹部１１６の立壁２６の壁面を沿うように流れることで、当該壁面に付着した汚物を強力に洗い流すことができる。また、当該第１主流は各角部２８（図６も参照）に向かって流れて、角部２８の壁面にぶつかり、主に横旋回方向と下方向と上方向とに分散される。角部２８が鋭角であることから、横旋回方向の流れは抑制され、また重力および便器上部から下部への第１主流の流れに従い上方向の流れも抑制され、相対的に下方向の強い流れが形成される。
【００６７】
渦１８８の流れと共に、これら下方向の強力な流れが各角部２８に対応する３方向から形成されることによって、汚物を封水部１１６ｅから排水路管部１１２に強力に流し出すことができる。
【００６８】
また、第２主流によってリム部１０８から受け面部１３０にかけても広くも洗浄することができ、便鉢部１１０をまんべんなく洗浄できる。
【００６９】
例えば、凹部が円形状または４辺以上の多角形の構成では、凹部に強い横旋回の渦は形成できるが、下方向の流れは弱くなってしまい、汚物排出に不利である。これに対して水洗大便器１００は、凹部１１６が三角形の各辺に対応する三つの立壁によって区画されるから、下方向の流れを強くして効果的に汚物を排出できる。また、横旋回の流れを弱くして渦１８８を抑制できる。
【００７０】
三つの吐水口が一方の側に集中すると、水流の偏りが大きくなり便鉢内に洗浄が不足する領域を生じることがある。これに対して水洗大便器１００は、三つの吐水口１２２の間隔が四半周以上で半周以下の範囲で形成されるから、水流の偏りが抑制され、良好な洗浄能力を得られるようになる。
【００７１】
凹部に対して三つの吐水口が偏って配置されると、凹部の立壁の洗浄力に偏りを生じることがある。これに対して水洗大便器１００は、凹部１１６を囲むように、第１吐水口１２２ａが凹部１１６の左方に設けられ、第２吐水口１２２ｂが凹部１１６の前方に設けられ、第３吐水口１２２ｃが凹部１１６の後方に設けられるから、凹部１１６の立壁の洗浄力の偏りを抑制できる。
【００７２】
主な洗浄水が旋回しながら落下する主流のみを形成する構成では、凹部への落下時の水勢が低下して凹部の立壁の洗浄力が低下することが考えられる。これに対して水洗大便器１００は、吐水口１２２が、それぞれ立壁２６に向かって落下して当該立壁２６に沿って流れる第１主流１６２，１７２，１８２を吐出するから、水勢の低下が抑えられ立壁２６を効果的に洗浄しうる。
【００７３】
吐水口１２２から吐出された第１主流１６２，１７２，１８２が、主に受け面部１３０で合流すると、凹部１１６への落下時の水勢や方向に影響を生じることが考えられる。これに対して水洗大便器１００は、第１主流１６２が第１主流１８２と、第１主流１８２が第１主流１７２と、第１主流１７２が第１主流１６２と、それぞれが凹部１１６の領域で合流するから、凹部１１６への落下時の水勢や方向への影響を抑制できる。
【００７４】
第１主流１６２，１７２，１８２のそれぞれが合流することで、さらに強い横方向の渦流および下方向の流れを形成することができ、汚物を強力に流し出すことができる。
【００７５】
三つの吐水口から吐水されるそれぞれの洗浄水の主流の境界部分では洗浄水が十分に流れず洗浄力が不足することがある。これに対して水洗大便器１００は、第２主流１６４，１７４、１８４が、それぞれ、リム通水路１２０の側壁部１２６ａに沿って周方向に流れ、三つの吐水口１２２のうち旋回方向側の吐水口１２２から吐出された洗浄水に重なり合うように構成されるから、主流の境界部分の水流の不足が抑制され、便鉢部１１０を広く良好に洗浄することができる。
【００７６】
洗浄水に所望の水流を実現するために、便鉢部の全体形状を変更すると他の性能を損なうことがあり、所望の水流を実現することの制約になっている。これに対して水洗大便器１００では、リム通水路１２０に洗浄水の流れの一部を内向きに曲げる変向部１３２が設けられるから、側壁部１２６ａの湾曲の作用とは別に、変向部１３２を設けることによって、洗浄水の流れを変更して所望の流れに近づけることができる。
【００７７】
水洗大便器１００では、前記変向部１３２に、側壁部１２６ａの一部が周方向の両側より内側に張出す凸面部１３４を有するから、棚部１２６ｂや便鉢部１１０の形状の変更を最小限に抑えることができる。
【００７８】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００７９】
水洗大便器１００は、洗浄方式として洗い落し式を用いる例を説明したが、サイホン式、サイホンゼット式等の他方式と組み合わせた洗浄方式により便鉢部１１０内を洗浄してもよい。水洗大便器１００は、給水方式として水道直圧式を用いる例を説明したが、この他にも重力を用いた重力給水式、フラッシュバルブ式等の給水方式が用いられてもよい。便器本体１０２は壁掛け式便器を例に説明したが、トイレ室の床面上に設置される床置き式便器でもよい。また、便器本体１０２は陶器の他に樹脂等を素材としてもよい。
【００８０】
本発明の実施の形態では、吐水口が反時計回りの旋回水流を生成する例について説明したが、これに限られない。例えば左右を入れ替えて時計回りの水流を生成するように構成してもよい。
【００８１】
本発明の実施の形態では、リム部に吐水口が三つである例について説明したが、三つ吐水口の他に補助的に別の吐水手段を設けてもよい。
【符号の説明】
【００８２】
１０  壁面、  ２０  左立壁、  ２２  右立壁、  ２４  後立壁、
２６  立壁、  ２８  角部、  ３０  三角形、  ３８ａ  流入路、
３８ｂ  導水路、  １００  水洗大便器、  １０２  便器本体、
１０４  給水管、  １０８  リム部、  １１０  便鉢部、
１１２  排水路管部、  １１４  周壁部、  １１６  凹部、
１１６ｅ  封水部、  １１８  オーバーハング部、  １１８ａ  内縁、
１２０  リム通水路、  １２２  吐水口、  １２４  リム導水路、
１２６ａ  側壁部、  １２６ｂ  棚部、  １２６ｃ  上端縁、
１３０  受け面部、  １３２  変向部、  １３４  凸面部、
１６０  第１水流、  １６２  第１主流、  １６４  第２主流、
１７０  第２水流、  １７２  第１主流、  １７４  第２主流、
１８０  第３水流、  １８２  第１主流、  １８４  第２主流、
１８８  渦、  １９０  落下水流、  １９２  落下水流、
１９４  落下水流、  Ｍ１  中心軸。
【図１】
0006495146.tif 000002
【図２】
0006495146.tif 000003
【図３】
0006495146.tif 000004
【図４】
0006495146.tif 000005
【図５】
0006495146.tif 000006
【図６】
0006495146.tif 000007
【図７】
0006495146.tif 000008
【図８】
0006495146.tif 000009